(57)【特許請求の範囲】
【請求項１】
カード基材に設けた凹部の上面を覆ってオーバーシートを積層したカードあるいはカード基材に貫通して設けた穴部の上面および下面を覆ってオーバーシートを積層したカードであって、
前記凹部あるいは穴部に、コレステリック液晶性化合物を水に溶解した溶液を主体として含む組成物を入れてなることを特徴とするコレステリック液晶性化合物を保持したカード。
【請求項２】
カード基材に設けた凹部の上面を覆ってオーバーシートを積層したカードあるいはカード基材に貫通して設けた穴部の上面および下面を覆ってオーバーシートを積層したカードであって、
前記凹部あるいは穴部に、コレステリック液晶性化合物、水および親水性を有する光硬化性成分を主成分として含む組成物を入れてなることを特徴とするコレステリック液晶性化合物を保持したカード。
【請求項３】
不透明なカード基材に設けた凹部の上面を覆って透明なオーバーシートを積層したことを特徴とする請求項１あるいは請求項２記載のカード。
【請求項４】
透明なカード基材に設けた凹部の上面を覆って透明なオーバーシートを積層するか、あるいは不透明なオーバーシートを積層したことを特徴とする請求項１あるいは請求項２記載のカード。
【請求項５】
透明なカード基材あるいは不透明なカード基材に貫通して設けた穴部の上面および下面を覆っていずれも透明なオーバーシートを積層するか、あるいは前記穴部の上面あるいは下面のいずれか一方は透明なオーバーシートを積層し、他方は不透明なオーバーシートを積層したことを特徴とする請求項１あるいは請求項２記載のカード。
【発明の詳細な説明】
【０００１】
【発明の属する技術分野】
本発明は、コレステリック液晶性化合物を保持した磁気カード、ＩＣカード、リライトカードなどのカードに関するものである。
【０００２】
【従来の技術】
従来、フィルムや用紙などを基材とした有価証券など（偽造防止シート）として、シート基材にホログラムラベルや光輝ラベルなどの偽造が困難なラベルを貼付したものがある。また、プラスチックカードなどでは、特殊形状のエンボスマークを付けたりしている。
これらは容易に偽造されず、特別な真贋判定装置を必要としない点で優れているが、反面、ホログラムラベルは製造方法が複雑で、高価であり、光輝ラベルも高価であり、したがって製造コストがアップしてしまい、また、エンボスマークは、それ自身を簡単に偽造できるなどの問題があった。
【０００３】
一方、蛍光インキを使用した偽造防止用カードが、すでに考案されており、例えば特開平０２−２２５０９１号公報には蛍光塗料の発光識別標識を印刷した偽造防止用発光識別カードが開示されている。
蛍光インキを使用する方法によれば製造コストのアップや製造工程の煩雑さを伴わず、通常状態ではマークが隠蔽されるために、使用者に意識させないという点で優れているが、この種の特殊な蛍光インキは色調が淡く、判別がし難い場合が起こる可能性があり、加えて、真贋判定にブラックライト照射装置が必要である。
【０００４】
これらの従来の真贋判定の技術は、技術的に確立されてから年月日が経過し、一般に認知され、公知化されるようになると逆に偽造され易くなる可能性が高くなるという問題がある。
【０００５】
【発明が解決しようとする課題】
カラーコピー機やパソコン、スキャナ、カラープリンタなどの普及により、金券やチケット、クーポン券などが偽造される機会は増加する一方である。
そこで、本発明の目的は、従来の問題を解決し、カラーコピー機やパソコン、スキャナ、カラープリンタなどでは容易に偽造されることがなく、偽造防止効果が高い上、見る人に美的感覚を与える磁気カード、ＩＣカード、リライトカードなどの新規なカードを提供することである。
【０００６】
【課題を解決するための手段】
本発明者等は前記課題を解決すべく鋭意研究を重ねた結果、カード基材に保持部（凹部あるいは穴部）を設け、この保持部にコレステリック液晶性化合物を水に溶解した溶液を主体として含む組成物あるいはコレステリック液晶性化合物、水および親水性を有する光硬化性成分を主成分として含む組成物を入れて、コレステリック液晶性化合物に特有の見る角度によって異なる美しい発色を外部から見えるようにすることにより課題を解決できることを見出し、本発明を完成するに至った。
【０００７】
すなわち、本発明の請求項１記載のコレステリック液晶性化合物を保持したカードは、カード基材に設けた凹部の上面を覆ってオーバーシートを積層したカードあるいはカード基材に貫通して設けた穴部の上面および下面を覆ってオーバーシートを積層したカードであって、
前記凹部あるいは穴部に、コレステリック液晶性化合物を水に溶解した溶液を主体として含む組成物を入れてなることを特徴とする。
【０００８】
（削除）
【０００９】
本発明の請求項２記載のコレステリック液晶性化合物を保持したカードは、カード基材に設けた凹部の上面を覆ってオーバーシートを積層したカードあるいはカード基材に貫通して設けた穴部の上面および下面を覆ってオーバーシートを積層したカードであって、
前記凹部あるいは穴部に、コレステリック液晶性化合物、水および親水性を有する光硬化性成分を主成分として含む組成物を入れてなることを特徴とする。
【００１０】
本発明の請求項３記載のコレステリック液晶性化合物を保持したカードは、請求項１あるいは請求項２記載のカードにおいて、不透明なカード基材に設けた凹部の上面を覆って透明なオーバーシートを積層したことを特徴とする。
【００１１】
本発明の請求項４記載のコレステリック液晶性化合物を保持したカードは、請求項１あるいは請求項２記載のカードにおいて、透明なカード基材に設けた凹部の上面を覆って透明なオーバーシートを積層するか、あるいは不透明なオーバーシートを積層したことを特徴とする。
【００１２】
本発明の請求項５記載のコレステリック液晶性化合物を保持したカードは、請求項１あるいは請求項２記載のカードにおいて、透明なカード基材あるいは不透明なカード基材に貫通して設けた穴部の上面および下面を覆っていずれも透明なオーバーシートを積層するか、あるいは前記穴部の上面あるいは下面のいずれか一方は透明なオーバーシートを積層し、他方は不透明なオーバーシートを積層したことを特徴とする。
【００１３】
【発明の実施の形態】
以下、本発明を詳細に説明する。
図１は、本発明のコレステリック液晶性化合物を保持したカードの一実施形態を説明する説明図である。
図２〜図５は、本発明のコレステリック液晶性化合物を保持したカードの他の実施形態を説明する説明図である。
図１に示したように、本発明のカード１Ａは、不透明なカード基材２Ａに設けた凹部３Ａの上面を覆って透明なオーバーシート４Ａが積層されている。
そして、凹部３Ａにコレステリック液晶性化合物を含む組成物として、例えばコレステリック液晶性化合物を水に溶解した溶液を主体とする組成物、あるいはコレステリック液晶性化合物、水および親水性を有する光硬化性成分を主成分として含む光硬化性混合物を主体とする組成物が、密封された状態で入れられている。
本発明のカード１Ａの凹部３Ａを透明なオーバーシート４Ａ側から見るとコレステリック液晶性化合物に特有の見る角度によって異なる美しい発色を見ることができる。発色は見る角度により変化するので偽造困難なものである。
【００１４】
図２に示したように、本発明のカード１Ｂは、透明なカード基材２Ｂに設けた凹部３Ｂの上面を覆って不透明なオーバーシート４Ｂが積層されている。
そして凹部３Ｂに前記のようなコレステリック液晶性化合物を含む組成物が、密封された状態で入れられている。
本発明のカード１Ｂの凹部３Ｂを透明なカード基材２Ｂ側から見るとコレステリック液晶性化合物に特有の見る角度によって異なる美しい発色を見ることができる。発色は見る角度により変化するので偽造困難なものである。
【００１５】
図３に示したように、本発明のカード１Ｃは、透明なカード基材２Ｃに設けた凹部３Ｃの上面を覆って透明なオーバーシート４Ｃが積層されている。
そして凹部３Ｃに前記のようなコレステリック液晶性化合物を含む組成物が、密封された状態で入れられている。
本発明のカード１Ｃの凹部３Ｃを上方から見ても、あるいは下方から見ても透明であり、コレステリック液晶性化合物に特有の虹彩は見えない。しかし、本発明のカード１Ｃを例えば光を遮ったり、光を反射するテーブル、紙、シートなどの上に置いて本発明のカード１Ｃの凹部３Ｃを見ると、コレステリック液晶性化合物に特有の見る角度によって異なる美しい虹彩を見ることができる。このように例えば本発明のカード１Ｃを光を遮ったり、光を反射するものの上に置かないと発色が見られないので偽造防止効果が一層高い。
【００１６】
図４に示したように、本発明のカード１Ｄは、透明または不透明なカード基材２Ｄにに貫通して設けた穴部３Ｄの上面および下面を覆っていずれも透明なオーバーシート４Ｄ、４Ｄが積層されている。
そして穴部３Ｄに前記のようなコレステリック液晶性化合物を含む組成物が、密封された状態で入れられている。
本発明のカード１Ｄの穴部３Ｄを上方から見ても、あるいは下方から見ても透明でコレステリック液晶性化合物に特有の虹彩は見えない。しかし、本発明のカード１Ｄを例えば光を遮ったり、光を反射するテーブル、紙、シートなどの上に置いて本発明のカード１Ｄの穴部３Ｄを見ると、コレステリック液晶性化合物に特有の見る角度によって異なる美しい虹彩を見ることができる。本発明のカード１Ｄを例えば光を遮ったり、光を反射するものの上に置かないと発色が見られないので偽造防止効果が一層高い。
【００１７】
図５に示したように、本発明のカード１Ｅは、透明または不透明なカード基材２Ｅにに貫通して設けた穴部３Ｅの上面を覆って透明なオーバーシート４Ｅが積層されており、そして穴部３Ｅの下面を覆って不透明なオーバーシート４Ｅが積層されている。
そして穴部３Ｅに前記のようなコレステリック液晶性化合物を含む組成物が、密封された状態で入れられている。
本発明のカード１Ｅの上面を覆っている透明なオーバーシート４Ｅ側から穴部３Ｅを見ると、コレステリック液晶性化合物に特有の見る角度によって異なる美しい虹彩を見ることができる。本発明のカード１Ｅの発色は上方からの見る角度により変化するので偽造困難なものである。
【００１８】
本発明で用いるコレステリック液晶性化合物は、コレステリック構造を有するか、温度条件などの条件によりコレステリック構造をとる化合物、あるいはこれらの中から選択される２種以上の混合物である。
【００１９】
コレステリック相における分子の配列は、一つの面内で分子はネマチック液晶のように一定方向に配向しているが、隣接する面内での分子配向軸がねじれを起こしているため、配向方向が面の垂直軸のまわりにらせん構造をとっている。この構造をコレステリック構造という。コレステリック液晶の薄膜は白色光のもとで選択反射による美しい干渉色を示す。反射光の波長は、コレステリック液晶性化合物の種類、温度、反射角、入射角により変化する。
【００２０】
代表的なコレステリック液晶性化合物としては、安息香酸コレステリル、塩化コレステリル、オクタン酸コレステリル、ノナン酸コレステリルクロルギ酸コレステリル、炭酸オレイルコレステリル、酢酸コレステリル、エレオステアリン酸コレステリルなどの他、液晶オリゴマー、液晶ポリマーなどを例示することができる。
また、コレステリック液晶性化合物としてヒドロキシプロピルセルロース（ＨＰＣ）、ヒドロキシエチルセルロース、ヒドロキシブチルセルロースなどのヒドロキシアルキルセルロースや、これらのアシル誘導体なども例示することができる。
【００２１】
本発明で用いるコレステリック液晶性化合物を含む組成物はコレステリック液晶性化合物に特有の虹彩が見られるような組成物であればよく、特に限定されるものではない。中でも、コレステリック液晶性化合物を水に溶解した溶液を主体とする組成物は、コレステリック液晶性化合物に特有の見る角度によって異なる美しい虹彩を見ることができるので、好ましく使用できる。
【００２２】
しかし、本発明のカードの構成要員であるカード基材やオーバーシートとして普通の紙などの水を吸収したり浸透する性質を有するものを用いると、組成物中の水分がカード基材やオーバーシートに吸収されたり浸透して、組成物中の水分量が徐々に減少する。コレステリック液晶性化合物の発色と色相は水分量に依存するため、時間経過とともにコレステリック液晶性化合物に特有の虹彩が消失する問題がある。
【００２３】
このような場合は本発明で用いるコレステリック液晶性化合物を含む組成物として、コレステリック液晶性化合物、水および親水性を有する光硬化性成分を主成分として含む光硬化性混合物を主体とする組成物を用いることが好ましい。
【００２４】
前記凹部あるいは穴部に、コレステリック液晶性化合物、水および親水性を有する光硬化性成分を主成分として含む光硬化性混合物を主体とする組成物を入れて、ＵＶ照射して硬化すると、光硬化性成分がＵＶ照射して硬化したマトリックス中に、水に溶解したコレステリック液晶性化合物が分散している相構造（モルホロジー）となるので、水に溶解したコレステリック液晶性化合物中の水分がマトリックス中に閉じ込められ、水分がカード基材やオーバーシートに吸収したり浸透することがなくなり、水分量が変化して時間経過とともに虹彩が消失することがなくなる。その結果、コレステリック液晶性化合物はコレステリック液晶特有の美しい色の輝きを安定して示し、見る人に美的感覚を与えることができ、かつ偽造効果を奏するものである。
【００２５】
本発明で用いる親水性を有する光硬化性成分とは、常温の水によく溶解し放置しても分離したり沈殿を生じたりない光硬化性成分であって、公知の親水性を有するアクリル系光重合性モノマーやアクリル系光重合性モノマー以外の光重合性モノマーおよび／または親水性を有するこれらのオリゴマーから任意に選んで用いることができる。
【００２６】
アクリル系光重合性モノマーとしては、具体的には、例えばエチレングリコール単位を分子内にもつポリエチレングリコール（ｎは３以上であり、およそ１４以下）ジアクリレート、トリメチロールプロパンＥＯ変性（ｎは３以上であり、およそ１４以下）トリアクリレート、フェノールＥＯ変性（ｎは３以上であり、およそ１４以下）変性アクリレートや、水酸基を分子内にもつ２−ヒドロキシエチルアクリレート（ＨＥＡ）、２−ヒドロキシプロピルアクリレート、４−ヒドロキシブチルアクリレート、ペンタエリスリトールトリアクリレート、フタル酸モノヒドロキシエチルアクリレートなどを挙げることができる。
【００２７】
エチレングリコール単位を分子内にもつアクリル系光硬化性成分の場合、ポリエチレングリコール単位は、ｎは３以上であり、ｎが３未満であると親水性が劣るので好ましくない。ｎの上限は特に限定されないが、入手可能な市販品の場合はおよそ１４以下である。
【００２８】
アクリル系光重合性モノマー以外の光重合性モノマーとしては、具体的には、例えばＮ−ビニル−２−ピロリドン、Ｎ−ビニル−ホルムアミド、Ｎ−ビニル−アセトアミド、アクリロイルモルホリンなどを挙げることができる。
これらの光重合性モノマーは単独で用いてもよいし２種以上組み合わせて用いてもよい。
【００２９】
本発明で用いる光重合開始剤は、従来公知のもので良く、例えば、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−メチル−１−プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１−ビス（２，６−ジメトキシベンゾイル）−２，４，４−トリメチル−ペンチルフォスフィンオキサイド−ビス（２，４，６−トリメチルベンゾイル）−フェニルフォスフィンオキサイドなどが挙げられる。
これらの光重合開始剤は、それぞれ単独で用いてもよいし、２種以上を組み合わせて用いてもよい。その含有量は、通常アクリル系光硬化性成分１００質量部当り、５〜１５質量部の範囲で選ばれるのが好ましい。
【００３０】
本発明においては、コレステリック液晶性化合物、水および親水性を有する光硬化性成分を主成分として含む光硬化性混合物の配合割合は特に限定されるものではない。しかし、コレステリック液晶性化合物１００質量部、水５５〜７５質量部、好ましくは６０〜７０質量部、特に好ましくは６５質量部前後、親水性を有する光硬化性成分を主成分として含む光硬化性混合物３〜５０質量部、好ましくは５〜４０質量部、特に好ましくは５〜３０質量部、を含む組成物を用いることが望ましい。
水が５５質量部未満あるいは７５質量部を超えると発色しなくなる。
光硬化性混合物が３質量部未満では光硬化性が低下して紫外線を照射しても硬化しない恐れがあり、５０質量部を超えると発色しなくなる恐れがある。
【００３１】
本発明で用いる前記組成物には、顔料、染料、分散剤、安定剤、増粘剤、粘着剤、接着剤その他添加剤を本発明の主旨を逸脱しない範囲において配合することができる。
【００３２】
本発明で用いるカード基材としては、上質紙、アート紙、コート紙、ミラーコート紙、コンデンサー紙、パラフィン紙、その他の紙の他に、合成紙、あるいはポリエチレン、透明性を有するポリエチレンテレフタレート、ポリプロピレン、塩化ビニルなどのシート、銅、アルミニウムなどの金属あるいはこれらを組み合わせた複合体などを用いることができる。これらのカード基材の表面をマット処理、コロナ処理などの表面処理を施してもよい。
【００３３】
本発明で用いるオーバーシートは特に限定されず、上質紙、アート紙、コート紙、ミラーコート紙、コンデンサー紙、パラフィン紙、その他の紙の他に、合成紙、あるいはポリエチレン、透明性を有するポリエチレンテレフタレート、透明塩化ビニル樹脂、ポリプロピレンなどの樹脂のシートを挙げることができる。
これらは接着剤や粘着剤などを介してカード基材に積層してもよく、また接着剤や粘着剤などを用いずにカード基材に直接積層してもよく、また、これらの溶液や分散液などを公知の方法により塗工、コーテイングするなどして積層することもできる。
【００３４】
本発明のカード中の前記組成物の厚さは特に限定されない。しかし、約２００μｍ程度あるいはそれ以上が好ましく、これより薄くなると発色が弱くなり、特に約１００μｍ程度あるいはそれ以下であると発色しなくなる。
【００３５】
【実施例】
以下実施例により本発明を更に詳しく説明するが、本発明はこれら実施例に何ら制約されるものではない。
（実施例１）
ヒドロキシプロピルセルロース（ＨＰＣ）〈銘柄：ヒドロキシプロピルセルロースＳＬ（日本曹達社製）〉（コレステリック液晶性化合物）（粉体）１００ｇを水６５ｇに溶解した組成物を調製した。一方、厚さ０．５ｍｍの塩ビ製カード基材に直径０．１ｍｍの穴を開け、下面に厚さ０．１ｍｍのＰＥＴフィルムを積層した。前記組成物を塩ビ製カード基材の穴部に充填した後、上面に厚さ０．１ｍｍのＰＥＴフィルムを積層して穴部を密封して、図４に示した構成の本発明のカードを作った。
【００３６】
本発明のカードは、その穴部を上方から見ても、あるいは下方から見ても透明でコレステリック液晶性化合物に特有の虹彩は見えない。しかし、本発明のカードを光を反射するテーブル上に置いて本発明のシートの穴部を見ると、コレステリック液晶性化合物に特有の見る角度によって異なる美しい虹彩を見ることができた。本発明のシートは偽造防止効果が高いものである。
【００３７】
実施例１で用いたコレステリック液晶性化合物のヒドロキシプロピルセルロース（ＨＰＣ）の代わりに、ヒドロキシエチルセルロース、ヒドロキシブチルセルロースなどのヒドロキシアルキルセルロースや、これらのアシル誘導体も使用できる。
【００３８】
【発明の効果】
本発明の請求項１記載のコレステリック液晶性化合物を水に溶解した溶液を主体とする組成物を保持したカードは、カラーコピー機やパソコン、スキャナ、カラープリンタなどでは容易に偽造されることがなく、偽造防止効果が高い上、見る人に美的感覚を与えるので、磁気カード、ＩＣカード、リライトカードなどに適用可能であるという顕著な効果を奏する。
コレステリック液晶性化合物を水に溶解した溶液を主体とする組成物であるので、構成が簡単で安価であるという顕著な効果を奏する。
【００３９】
（削除）
【００４０】
本発明の請求項２記載のカードは、前記組成物がコレステリック液晶性化合物、水および親水性を有する光硬化性成分を主成分として含む光硬化性混合物を主体とする組成物であるので、カラーコピー機やパソコン、スキャナ、カラープリンタなどでは容易に偽造されることがなく、偽造防止効果が高い上、見る人に美的感覚を与えるので、磁気カード、ＩＣカード、リライトカードなどに適用可能であるという顕著な効果を奏する上、カード基材やオーバーシートが水分を吸収したり浸透するものであっても時間経過により水分が減少することがなく、コレステリック液晶性化合物に特有の見る角度によって異なる美しい虹彩を見ることができ、偽造防止効果が高いという顕著な効果を奏する。
【００４１】
本発明の請求項３記載のカードは、請求項１あるいは請求項２記載のカードにおいて、不透明なカード基材に設けた凹部の上面を覆って透明なオーバーシートを積層したので、請求項１あるいは請求項２記載のカードと同じ作用効果を奏する上、カードの凹部を透明なオーバーシート側から見るとコレステリック液晶性化合物に特有の見る角度によって異なる美しい発色を見ることができるという顕著な効果を奏する。
【００４２】
本発明の請求項４記載のカードは、請求項１あるいは請求項２記載のカードにおいて、透明なカード基材に設けた凹部の上面を覆って透明なオーバーシートを積層するか、あるいは不透明なオーバーシートを積層したので、請求項１あるいは請求項２記載のカードと同じ作用効果を奏する上、
不透明なオーバーシートを積層した場合は、透明なカード基材側から見るとコレステリック液晶性化合物に特有の見る角度によって異なる美しい発色を見ることができ、
そして透明なオーバーシートを積層した場合は、本発明のカードの凹部を上方から見ても、あるいは下方から見ても透明であり、コレステリック液晶性化合物に特有の虹彩は見えないが、本発明のカードを例えば光を反射するテーブルなどの上に置いて見ると、コレステリック液晶性化合物に特有の見る角度によって異なる美しい虹彩を見ることができるので偽造防止効果が一層高いという顕著な効果を奏する。
【００４３】
本発明の請求項５記載のカードは、請求項１あるいは請求項２記載のカードにおいて、透明なカード基材あるいは不透明なカード基材に貫通して設けた穴部の上面および下面を覆っていずれも透明なオーバーシートを積層するか、あるいは前記穴部の上面あるいは下面のいずれか一方は透明なオーバーシートを積層し、他方は不透明なオーバーシートを積層したので、請求項１あるいは請求項２記載のカードと同じ作用効果を奏する上、
いずれも透明なオーバーシートを積層した場合は、本発明のカードの穴部を上方から見ても、あるいは下方から見ても透明でコレステリック液晶性化合物に特有の虹彩は見えないが、本発明のカードを例えば光を遮るシートなどの上に置くとコレステリック液晶性化合物に特有の見る角度によって異なる美しい虹彩を見ることができ、偽造防止効果が一層高いという顕著な効果を奏し、
いずれか一方は透明なオーバーシートを積層し、他方は不透明なオーバーシートを積層した場合は、透明なオーバーシート側から見るとコレステリック液晶性化合物に特有の見る角度によって異なる美しい発色を見ることができるという顕著な効果を奏する。
【図面の簡単な説明】
【図１】  本発明のカードの一実施形態の断面を説明する説明図である。
【図２】  本発明のカードの他の実施形態の断面を説明する説明図である。
【図３】  本発明のカードの他の実施形態の断面を説明する説明図である。
【図４】  本発明のカードの他の実施形態の断面を説明する説明図である。
【図５】  本発明のカードの他の実施形態の断面を説明する説明図である。
【符号の説明】
１Ａ、１Ｂ、１Ｃ、１Ｄ、１Ｅ  本発明のカード
２Ａ、２Ｂ、２Ｃ、２Ｄ、２Ｅ  カード基材
３Ａ、３Ｂ、３Ｃ  凹部
３Ｄ、３Ｅ  穴部
４Ａ、４Ｂ、４Ｃ、４Ｄ、４Ｅ  オーバーシート
【図１】
0004565591.tif 000002
【図２】
0004565591.tif 000003
【図３】
0004565591.tif 000004
【図４】
0004565591.tif 000005
【図５】
0004565591.tif 000006